(57)【要約】【課題】室内環境の快適性を向上させることができる空調最適化装置及び空調制御システムを提供する。【解決手段】一実施形態に係る空調最適化装置は、評価値収集部と、第１指標算出部と、設定値算出部と、を備える。評価値収集部は、ユーザの快適性の評価値を、一連の空間の一部として予め設定されたゾーンごとに収集する。第１指標算出部は、評価値に基づいて、ゾーンにおける前記快適性の第１指標を算出する。設定値算出部は、第１指標に基づいて、ゾーン内に配置された空調機の設定値を算出する。【選択図】図１
2016031220.tif 000002
【特許請求の範囲】
【請求項１】
ユーザの快適性の評価値を、一連の空間の一部として予め設定されたゾーンごとに収集する評価値収集部と、
前記評価値に基づいて、前記ゾーンにおける前記快適性の第１指標を算出する第１指標算出部と、
前記第１指標に基づいて、前記ゾーン内に配置された空調機の設定値を算出する設定値算出部と、
を備える空調最適化装置。
【請求項２】
前記ゾーンは、前記一連の空間に対して１つ又は複数設定される
請求項１に記載の空調最適化装置。
【請求項３】
前記ゾーンは、前記一連の空間において重複するように設定可能である
請求項１又は請求項２に記載の空調最適化装置。
【請求項４】
前記設定値算出部は、前記ユーザの前記快適性が高くなるように前記設定値を算出する
請求項１〜請求項３のいずれか１項に記載の空調最適化装置。
【請求項５】
前記快適性に影響を与える少なくとも１つのパラメータに基づいて、前記ゾーンにおける快適性の第２指標を算出する第２指標算出部を更に備え、
前記設定値算出部は、前記ゾーンにおける前記第１指標及び前記第２指標に基づいて、前記設定値を算出する
請求項１〜請求項４のいずれか１項に記載の空調最適化装置。
【請求項６】
前記第２指標は、ＰＭＶである
請求項５に記載の空調最適化装置。
【請求項７】
前記設定値は、前記空調機の設定温度である
請求項１〜請求項６のいずれか１項に記載の空調最適化装置。
【請求項８】
前記ゾーンの第１指標と前記ユーザの評価値とに基づいて、前記ゾーン内の前記ユーザに所定のメッセージを通知する通知部を更に備える
請求項１〜請求項７のいずれか１項に記載の空調最適化装置。
【請求項９】
請求項１〜請求項８のいずれか１項に記載の空調最適化装置と、
前記空調制御装置の前記設定値算出部により算出された前記設定値に基づいて、前記空調機を制御する空調制御装置と、
を備える空調制御システム。
【請求項１０】
請求項１〜請求項８のいずれか１項に記載の空調最適化装置と、
前記ユーザが入力した前記快適性の前記評価値を、前記評価値収集部に送信する複数のユーザ端末と、
を備える空調制御システム。
【発明の詳細な説明】
【技術分野】
【０００１】
本発明の実施形態は、空調最適化装置及び空調制御システムに関する。
【背景技術】
【０００２】
従来、ビルの監視制御システムでは、室内における入居者の快適性を向上させるために、所定のパラメータを用いた計算結果により室内温度を制御している。しかしながら、この方法では、室内に発生する低温スポット及び高温スポットや、入居者の温熱感覚の個人差などが考慮されないため、入居者の快適性の向上に限界があった。入居者が室内環境に対して不快感を抱くと、仕事の効率にも影響するため、問題であった。
【先行技術文献】
【特許文献】
【０００３】
【特許文献１】特開平９−１９６４３４号公報
【発明の概要】
【発明が解決しようとする課題】
【０００４】
室内環境の快適性を向上させる空調最適化装置及び空調制御システムを提供する。
【課題を解決するための手段】
【０００５】
一実施形態に係る空調最適化装置は、評価値収集部と、第１指標算出部と、設定値算出部と、を備える。評価値収集部は、ユーザの快適性の評価値を、一連の空間の一部として予め設定されたゾーンごとに収集する。第１指標算出部は、評価値に基づいて、ゾーンにおける前記快適性の第１指標を算出する。設定値算出部は、第１指標に基づいて、ゾーン内に配置された空調機の設定値を算出する。
【図面の簡単な説明】
【０００６】
【図１】ゾーンを設定された部屋の一例を示す平面図。
【図２】ゾーンを設定された部屋の他の例を示す平面図。
【図３】一実施形態に係る空調制御システムの構成を示すブロック図。
【図４】ＩＰアドレスとゾーンとの対応関係の一例を示す図。
【図５】空調最適化装置のハードウエア構成を示すブロック図。
【図６】空調制御システムの処理を示すフローチャート。
【図７】評価値の入力画面の一例を示す図。
【図８】収集された評価値の一例を示す図。
【発明を実施するための形態】
【０００７】
以下、本発明の実施形態について図面を参照して説明する。
【０００８】
まず、一実施形態に係る空調最適化装置及び空調制御システムの構成について、図１〜図５を参照して説明する。図１は、本実施形態に係る空調制御システムの機能構成を示すブロック図である。図１に示すように、この空調制御システムは、複数のユーザ端末１０と、空調最適化装置２０と、空調制御装置３０とを備える。
【０００９】
ユーザ端末１０は、複数の空調機４０が配置された、ビルや倉庫などの建物内の一連の空間に、複数配置される。ここでいう一連の空間とは、壁やドアなどにより仕切られず、同一の空調機４０の影響下にある空間のことである。一連の空間は、例えば、建物内の部屋や通路であるが、これに限られない。以下では、一連の空間は、部屋であるものとする。
【００１０】
ユーザ端末１０及び空調機４０が配置される部屋には、少なくとも１つのゾーンが設定される。ゾーンとは、部屋の一部の空間のことである。ゾーンは、室内に配置された少なくとも１つの空調機４０と、少なくとも１つのユーザ端末１０と、がその空間内に含まれるように設定される。
【００１１】
ここで、図２は、ゾーンを設定された部屋の一例を示す平面図である。図２において、ゾーンは破線で示されており、室内には３つのゾーンＡ，Ｂ，Ｃが設定されている。各ゾーンＡ，Ｂ，Ｃには、２つの空調機４０と、１２個のユーザ端末１０と、がそれぞれ配置されている。室内に設定されるゾーンの数、各ゾーンに配置されるユーザ端末１０及び空調機４０の数は任意である。
【００１２】
室内のユーザ（入居者）は、室内に配置されたユーザ端末１０から、「暑い」「寒い」などの温熱感覚に応じた快適性の評価値を入力する。評価値は、「暑い」「寒い」のようなユーザの感覚であってもよいし、ユーザが感じる暑さや寒さに応じた数値であってもよい。
【００１３】
ユーザ端末１０として、例えば、コンピュータ、携帯電話、スマートフォン、タブレット、及び専用端末などを用いることができる。いずれの場合も、ユーザ端末１０は、空調最適化装置２０と、有線又は無線にて通信可能に接続される。ユーザがユーザ端末１０から入力した評価値は、空調最適化装置２０に送信され、ユーザ端末１０が配置されたゾーンの評価値として収集される。
【００１４】
なお、ゾーンは、図３に示すように、複数のゾーンが重複するように設定されてもよい。この場合、複数のゾーンの重複部分に配置されたユーザ端末１０から入力された評価値は、重複する各ゾーンの評価値として収集される。例えば、図３のユーザ端末１０′から入力された評価値は、ゾーンＡ，Ｂの評価値としてそれぞれ収集される。
【００１５】
空調最適化装置２０は、ユーザ端末１０から収集した評価値に基づいて、空調機４０の設定値を算出する。図１に示すように、空調最適化装置２０は、評価値収集部２１と、第１指標算出部２２と、第２指標算出部２３と、設定値算出部２４と、通知部２５と、を備える。
【００１６】
評価値収集部２１は、室内に配置された複数のユーザ端末１０から、ユーザが入力した評価値を受信し、受信した評価値をゾーン毎に収集する。評価値収集部２１は、例えば、各ユーザ端末１０のＩＰアドレスやＭＡＣアドレスと、各ユーザ端末１０が配置されたゾーンと、の対応関係を予め記憶する。評価値収集部２１は、ユーザ端末１０から評価値を受信すると、ユーザ端末１０のＩＰアドレスやＭＡＣアドレスと、記憶した対応関係と、を参照し、評価値のゾーンを特定する。そして、評価値収集部２１は、特定したゾーン毎に、評価値を記憶する。
【００１７】
図４は、評価値収集部２１に記憶されるＩＰアドレスとゾーンとの対応関係を示す表の一例である。例えば、ＩＰアドレスが１９２．１６８．０．ＸＸ１であるユーザ端末１０が評価値を送信した場合、評価値収集部２１は、図４の表を参照し、当該評価値をゾーンＡの評価値として記憶する。
【００１８】
なお、ゾーンがユーザ端末１０に予め登録され、ユーザ端末１０が評価値とともに、登録されたゾーンを特定するゾーン情報を送信する場合には、評価値収集部２１は、当該ゾーン情報に基づいて評価値のゾーンを特定すればよい。
【００１９】
第１指標算出部２２は、評価値収集部２１が収集した評価値に基づいて、各ゾーンの第１指標を算出する。第１指標は、ゾーン内のユーザが感じる平均的な快適性を示す指標である。第１指標算出部２２は、第１指標として、例えば、各ゾーンにおける評価値の平均値、中央値、及び最頻値などを算出する。第１指標算出部２２は、評価値が暑さや寒さに応じた数値である場合、第１指標としてこれらの数値の平均値等を算出する。また、第１指標算出部２２は、評価値が「暑い」「寒い」といったユーザの感覚である場合、各評価値に応じた数値の平均値を算出する。
【００２０】
評価値算出部２２は、評価値を得られないユーザがいる場合、すなわち、評価値を送信していないユーザ端末１０がある場合、当該ユーザ端末１０の評価値を所定値として第１指標を算出してもよいし、当該評価値を除外して第１指標を算出してもよい。
【００２１】
第２指標算出部２３は、ユーザの快適性に影響を与える少なくとも１つのパラメータに基づいて、快適性の第２指標を算出する。第２指標は、ゾーン毎に算出されてもよいし、ゾーンが設定された部屋ごとに算出されてもよい。パラメータは、例えば、室内の温度、湿度、放射（輻射）温度、風速、着衣量、代謝量、対流熱伝達、及び放射熱伝達であるが、これに限られない。また、第２指標は、例えば、作用温度、不快指数、及びＰＭＶ（Predicted Mean Vote）であるが、これに限られない。以下では、第２指標がＰＭＶである場合について説明する。
【００２２】
ＰＭＶは、人の快適さを、「暑い」「暖かい」「やや暖かい」「どちらでもない」「やや涼しい」「涼しい」「寒い」という７段階に分割して評価する快適性指標である。ＰＭＶ値は＋３〜−３までの値であり、＋３が「暑い」、＋２が「暖かい」、＋１が「やや暖かい」、０が「どちらでもない」、−１が「やや涼しい」、−２が「涼しい」、−３が「寒い」に対応する。ＰＭＶ値が０のとき、快適性は最高となる。ＰＭＶ値は、室内の温度、湿度、放射（輻射）温度、風速、着衣量、及び代謝量に基づいて、快適性方程式と呼ばれる方程式により算出される。
【００２３】
第２指標算出部２３は、温度、湿度、放射（輻射）温度、及び風速などの環境に関するパラメータを、空調制御装置３０や建物に設置された各種のセンサーから取得する、あるいは、取得した情報に基づいて算出する。また、第２指標算出部２３は、着衣量や代謝量などのユーザに関するパラメータとして、予め設定された値や、空調最適化装置２０のオペレータにより入力された値を用いる。
【００２４】
設定値算出部２４は、各ゾーンの第１指標と各ゾーンの第２指標とに基づいて、各ゾーンの空調機４０の設定値を算出する。各ゾーンの第２指標は、第２指標がゾーン毎に算出されている場合には、当該ゾーンに対して算出された値であり、第２指標が部屋ごとに算出されている場合には、当該ゾーンが設定された部屋の値となる。設定値算出部２４が算出する設定値は、例えば、空調機４０の設定温度であるが、これに限られない。
【００２５】
設定値算出部２４は、第１指標と第２指標とを取得すると、ユーザの快適性が高くなるように設定値を算出する。具体的には、第１指標が示す快適性が高くなるように設定値を算出する。これは、第１指標が、ユーザにより実際に評価された快適性に基づく指標だからである。例えば、第１指標が、ゾーン内のユーザが「暑い」（「寒い」）と感じていることを示している場合、設定値算出部２４は、空調機４０の設定温度として、現在の設定温度より低い（高い）設定温度を算出する。
【００２６】
通知部２５は、各ゾーンの第１指標と当該ゾーン内のユーザの評価値とに基づいて、各ゾーン内のユーザに所定のメッセージを通知する。メッセージは、例えば、第１指標に対して所定値以上離れた評価値を送信したユーザ端末１０のディスプレイに、メッセージを表示することにより通知される。第１指標は、ゾーン内の評価値の平均値であるから、第１指標から離れた評価値を送信したユーザは、そのゾーン内における「暑がり」又は「寒がり」なユーザであると考えられる。通知部２５は、これらのユーザに対して、快適性を向上させるための提案をメッセージとして通知する。例えば、通知部２５は、「寒がり」なユーザに対して、上着の着用を促すメッセージを通知する。
【００２７】
空調制御装置３０は、空調最適化装置２０が算出したゾーン毎の空調機４０の設定値を取得し、取得した設定値に基づいて各ゾーンの空調機４０を制御する。空調制御装置３０は、例えば、ＢＡシステム（Building Agent System）、ＢＥＭＳ（Building energy Management System）、ＢＥＥＭＳ（Building Environment and Energy Management System）、又はＨＥＭＳ（Home Energy Management System）であるが、これに限られない。空調制御装置３０の機能は、コンピュータがプログラムを実行することにより実現される。
【００２８】
次に、本実施形態に係る空調最適化装置２０のハードウエア構成について、図５を参照して説明する。本実施形態に係る空調最適化装置２０は、コンピュータにより構成される。ここで、図５は、この空調最適化装置２０のハードウエア構成を示すブロック図である。図５に示すように、このコンピュータ１００は、ＣＰＵ１０１と、入力装置１０２と、表示装置１０３と、通信装置１０４と、主記憶装置１０５と、外部記憶装置１０６とを備え、これらはバス１０７により相互に接続されている。
【００２９】
ＣＰＵ（中央演算装置）１０１は、主記憶装置１０５上で、空調最適化プログラムを実行する。空調最適化プログラムとは、空調最適化装置２０の上述の各機能構成を実現するプログラムのことである。ＣＰＵ１０１が、空調最適化プログラムを実行することにより、各機能構成は実現される。
【００３０】
入力装置１０２は、コンピュータ１００に外部からデータや命令を入力するための装置である。入力装置１０２は、例えば、キーボード、マウス、及びタッチパネルなどの、ユーザが直接的に入力するための装置であってもよい。また、入力装置１０２は、外部装置からの入力を可能にするＵＳＢなどの装置や、ソフトウエアであってもよい。
【００３１】
表示装置１０３は、コンピュータ１００から出力される映像信号を表示するディスプレイである。表示装置１０３は、例えば、ＬＣＤ（液晶ディスプレイ）、ＣＲＴ（ブラウン管）、及びＰＤＰ（プラズマディスプレイ）であるが、これに限られない。評価値、第１指標、第２指標、及び設定値などの情報は、この表示装置１０３により表示することができる。
【００３２】
通信装置１０４は、コンピュータ１００がユーザ端末１０や空調制御装置３０などの外部装置と通信するための装置である。コンピュータ１００は、通信装置１０４を介して、外部装置と所定の通信方式で無線通信又は有線通信を行う。通信装置１０４は、例えば、モデムやルータであるが、これに限られない。評価値収集部２１が収集した評価値や、通知部２５が通知するメッセージは、通信装置１０４を介してユーザ端末１０との間で通信される。また、設定値算出部２４が算出した設定値は、通信装置１０４を介して空調制御装置３０との間で通信される。
【００３３】
主記憶装置１０５は、空調最適化プログラムの実行の際に、空調最適化プログラム、空調最適化プログラムの実行に必要なデータ、及び空調最適化プログラムの実行により生成されたデータなどを記憶する。空調最適化プログラムは、主記憶装置１０５上で展開され、実行される。主記憶装置１０５は、例えば、ＲＡＭ、ＤＲＡＭ、ＳＲＡＭであるが、これに限られない。評価値、第１指標、第２指標、及び設定値などは、この主記憶装置１０５上や外部記憶装置１０６に記憶される。また、主記憶装置１０５は、コンピュータ装置のＯＳ、ＢＩＯＳ、及び各種のミドルウエアを記憶してもよい。
【００３４】
外部記憶装置１０６は、空調最適化プログラム、空調最適化プログラムの実行に必要なデータ、及び空調最適化プログラムの実行により生成されたデータなどを記憶する。これらのプログラムやデータは、空調最適化プログラムの実行の際に、主記憶装置１０５に読み出される。外部記憶装置１０６は、例えば、ハードディスク、光ディスク、フラッシュメモリ、及び磁気テープであるが、これに限られない。
【００３５】
なお、空調最適化プログラムは、コンピュータ１００に予めインストールされていてもよいし、ＣＤ−ＲＯＭなどの記憶媒体に記憶されていてもよい。また、空調最適化プログラムは、インターネット上にアップロードされていてもよい。
【００３６】
次に、本実施形態に係る空調制御システムの動作について、図６〜図８を参照して説明する。図６は、本実施形態に係る空調制御システムの処理を示すフローチャートである。以下では、空調制御システムは、図２の部屋の空調機４０を制御するものとする。また、第２指標は、部屋ごとに算出されるＰＭＶであるものとする。
【００３７】
ステップＳ１において、ユーザ端末１０は、評価値の入力画面をディスプレイに表示する。図７は、入力画面の一例を示す図である。図７の入力画面は、「とても暑い」、「暑い」、「満足」、「寒い」、及び「とても寒い」というユーザの感覚を示す選択肢を表示している。ユーザは、この選択肢の中からいずれか１つを選択することにより、評価値を入力する。このように、評価値をいくつかの選択肢として表示することにより、ユーザが評価値を容易に入力することができる。
【００３８】
ユーザは、入力画面から評価値を入力した後、評価値の送信操作を行い、空調最適化装置２０に評価値を送信する。図７の入力画面の場合、ユーザは「送信」ボタンを押すことにより送信操作を行う。
【００３９】
ステップＳ２において、評価値収集部２１は、室内の各ユーザ端末１０から受信した評価値を、ゾーン毎に収集する。図８は、評価値収集部２１により収集されたゾーンＡの評価値の一例を示す図である。評価値収集部２１は、図４に示したような対応関係を参照して、ゾーンＢ，Ｃについても同様に評価値を収集する。なお、図８における評価値「−」は、ユーザ端末１０から評価値を収集できなかったことを示している。
【００４０】
ステップＳ３において、第１指標算出部２２は、第１指標を算出する。例えば、評価値が図７のように設定されている場合、第１指標算出部２２は、「とても暑い」を２、「暑い」を１、「満足」を０、「寒い」を−１、「とても寒い」を−２と対応させ、これらの平均値をゾーンごとに算出する。
【００４１】
第１指標算出部２２は、例えば、評価値を得られなかったユーザ端末１０の評価値を所定値であるものとして第１指標を算出する。この所定値として、例えば、ユーザの快適性が最高であることに対応する評価値が用いられる。評価値が図７のように設定された場合、所定値は「満足」となる。この場合、ゾーンＡの評価値は、「とても暑い」「暑い」「満足」「満足」「満足」となるから、ゾーンＡの第１指標は、（２＋１＋０＋０＋０）／５＝０．６となる。
【００４２】
また、第１指標算出部２２は、評価値を得られなかったユーザ端末１０の評価値を除外して第１指標を算出してもよい。この場合、ゾーンＡの評価値は、「とても暑い」「暑い」「満足」「満足」となるから、ゾーンＡの第１指標は、（２＋１＋０＋０）／４＝０．７５となる。
【００４３】
ステップＳ４において、第２指標算出部２３は、第２指標として、図２の部屋のＰＭＶを算出する。なお、上述の通り、第２指標は、ゾーン毎に算出されてもよいし、ＰＭＶでなくてもよい。
【００４４】
ステップＳ５において、設定値算出部２４は、第１指標と第２指標とを取得し、第１指標及び第２指標に基づいてゾーンごとの設定温度を算出する。ここで、部屋の温度をＴ（℃）とすると、ＰＭＶは温度の関数であるから、ＰＭＶ値はＰＭＶ（Ｔ）と表すことができる。設定値算出部２４は、例えば、ＰＭＶ（Ｔ′）＋第１指標＝目標値、を解くことにより、設定温度Ｔ′を算出する。
【００４５】
目標値は、第１指標が０の場合のＰＭＶ値の目標値である。ＰＭＶ値が０の場合に快適性が最高となるため、目標値は、例えば、０に設定される。しかし、目標値は、これに限られず、−０．５以上０．５以下の任意の値にとしてもよい。例えば、目標値を０．５（−０．５）とすることにより、快適性を維持しつつ、夏場（冬場）の空調機４０の消費電力を削減できる。
【００４６】
上記の式において、例えば、第１指標が正の値の場合、ＰＭＶ（Ｔ′）は目標値より小さくなる。すなわち、ユーザが「暑い」と感じている場合、ＰＭＶ（Ｔ′）が小さくなるように、設定温度Ｔ′が算出される。これにより、設定温度Ｔ′は、第１指標が０の時にＰＭＶ（Ｔ）＝目標値となる室温Ｔよりも低くなる。また、第１指標が負の値の場合、ＰＭＶ（Ｔ′）は目標値より大きくなる。すなわち、ユーザが「寒い」と感じている場合、ＰＭＶ（Ｔ′）が大きくなるように、設定温度Ｔ′が算出される。これにより、設定温度Ｔ′は、第１指標が０の時にＰＭＶ（Ｔ）＝目標値となる室温Ｔよりも高くなる。したがって、設定温度Ｔ′は、第１指標が示す快適性、すなわち、ユーザが感じる快適性が高くなるように算出される。
【００４７】
なお、上記の式において、第１指標の代わりに、第１指標をＰＭＶ値と比較しやすいように変形した値を用いてもよい。例えば、第１指標の値を７／５倍した値を第１指標の代わりに用いることが考えられる。
【００４８】
ステップＳ６において、空調制御装置３０は、設定値算出部２４が算出した各ゾーンの設定温度を取得し、当該設定温度に従って、各ゾーンの空調機４０を制御する。すなわち、空調制御装置３０は、ゾーンＡの設定温度にしたがって、ゾーンＡに配置された２つの空調機４０を制御する。ゾーンＢ，Ｃについても同様である。
【００４９】
ステップＳ７において、通知部２５は、評価値収集部２１から各ユーザ端末１０の評価値を取得し、第１指標算出部２２から各ゾーンの第１指標を取得する。通知部２５は、各ユーザ端末１０について、ゾーンの第１指標に対する評価値のばらつき度を算出する。ばらつき度は、例えば、第１指標に対する評価値の差、標準偏差、及び分散などである。通知部２５は、ばらつき度が所定値以上のユーザを、「暑がり」や「寒がり」のユーザとして抽出し、抽出したユーザのユーザ端末１０に対してメッセージを送信する。
【００５０】
空調制御システムは、以上の処理を、ゾーンごとのバッチ処理により実行する。また、空調制御システムは、以上の処理を、例えば、１時間ごとなどの所定の時間間隔で実行してもよいし、空調制御システムのオペレータからの要請に応じて実行してもよいし、ユーザが空調機４０の設定値を変更するなどの、空調機４０に関する任意のイベントに応じて実行してもよい。
【００５１】
以上説明した通り、本実施形態に係る空調制御システムは、ユーザの評価値に基づいた空調機４０の制御を、ゾーンごとに実行する。例えば、図２のゾーンＡが高温スポットであった場合、空調機４０の制御を部屋ごとに行うと、ゾーンＡのユーザは、ゾーンＢ，Ｃのユーザより暑いと感じるため、ゾーンＡのユーザの快適性が低下することがある。しかしながら、本実施形態に係る空調制御システムのように、ゾーン毎に空調機４０を制御した場合、ゾーンＡのユーザの評価値に基づいて、ゾーンＡの空調機４０の設定温度を、ゾーンＢ、Ｃの空調機４０の設定温度より低くすることができるため、ゾーンＡのユーザの快適性を向上させることができる。
【００５２】
このように、本実施形態に係る空調制御システムによれば、室内に発生する低温スポット及び高温スポットや、入居者の温熱感覚の個人差を考慮して、空調機４０を制御することができるため、室内環境の快適性を向上させることができる。
【００５３】
なお、空調最適化装置３０は、第２指標算出部２３及び通知部２５の少なくとも一方を備えない構成も可能である。空調最適化装置３０が第２指標算出部２３を備えない場合、設定値算出部２４は、第１指標に基づいて設定値を算出する。この場合、設定値算出部２４は、第１指標に応じた空調機４０の設定値を予め記憶しておけばよい。
【００５４】
また、上記の説明において、ゾーンは部屋の一部の空間であったが、ゾーンは、同一の設定値に従って制御される少なくとも１つの空調機４０のグループと、当該グループの設定値を算出するために評価値を用いられる少なくとも１つのユーザ端末１０のグループと、の対応関係と等価である。すなわち、ゾーンは、空調機４０のグループとユーザ端末１０のグループとの対応関係を視覚的に表現したものといえる。
【００５５】
ゾーンをこのような対応関係と考えた場合、空調機４０の各グループには、室内に配置された空調機４０の一部が含まれ、ユーザ端末１０の各グループには、室内に配置されたユーザ端末１０の一部が含まれる。これは、ゾーンが部屋の一部の空間として視覚化されることに対応する。
【００５６】
なお、本発明は上記各実施形態そのままに限定されるものではなく、実施段階ではその要旨を逸脱しない範囲で構成要素を変形して具体化できる。また、上記各実施形態に開示されている複数の構成要素を適宜組み合わせることによって種々の発明を形成できる。また例えば、各実施形態に示される全構成要素からいくつかの構成要素を削除した構成も考えられる。さらに、異なる実施形態に記載した構成要素を適宜組み合わせてもよい。
【符号の説明】
【００５７】
１０：ユーザ端末、２０：空調最適化装置、２１：評価値収集部、２２：第１指標算出部、２３：第２指標算出部、２４：設定値算出部、２５：通知部、３０：空調制御装置、４０：空調機
【図１】
2016031220.tif 000003
【図２】
2016031220.tif 000004
【図３】
2016031220.tif 000005
【図４】
2016031220.tif 000006
【図５】
2016031220.tif 000007
【図６】
2016031220.tif 000008
【図７】
2016031220.tif 000009
【図８】
2016031220.tif 000010